(57)【特許請求の範囲】
【請求項１】
空気調和機Ａの枠体１内には、冷媒を圧縮する圧縮機２と、高温のガス状冷媒が送られるコンデンサ３と、液化した冷媒が減圧器を介して送られるエバポレータ４と、コンデンサ３及びエバポレータ４のそれぞれに送風する温風ファン３ａ・冷風ファン４ａと、コンデンサ３の温風ファン３ａに接続する温風吹出口３ｂと、エバポレータ４の冷風ファン４ａに接続する冷風吹出口４ｂとを設け、
前記エバポレータ４で気化した冷媒が圧縮機２に戻される冷凍サイクルを構成する一体型の空気調和機において、
前記空気調和機Ａには前記枠体１の側面に固定手段５ａを介して取り付けた基部５と、該基部５から下方に伸びる支持脚５ｂと、基部５から立ち上げて空気調和機Ａの枠体１より背を高くした支柱６と、該支柱６の上部に配置した放射状の折畳み腕７ａからなるハンガー部７とによって構成する物干し具機構Ｂを備え、
該物干し具機構Ｂは前記空気調和機Ａと支持脚５ｂとによって支持されると共に、ハンガー部７が前記温風吹出口３ｂもしくは前記冷風吹出口４ｂのいずれかの延長上に位置するように設けたことを特徴とする物干し具機構を備えた空気調和機。
【請求項２】
前記固定手段５ａは空気調和機Ａの枠体１との間に第１係止部５ｃを設けると共に、前記物干し具機構Ｂの基部５との間に第２係止部５ｄを設け、前記物干し具機構Ｂは基部５と固定手段５ａとの間もしくは枠体１と固定手段５ａとの間で着脱可能となっており、空気調和機の単独運転と物干し具機構Ｂの交換が可能となっていることを特徴とする請求項１記載の物干し具機構を備えた空気調和機。
【請求項３】
前記物干し具機構Ｂの基部５には着脱自在の補助脚５ｅを設け、前記枠体１から取外した物干し具機構Ｂは支持脚５ｂと補助脚５ｅとによって自立可能となる請求項１または請求項２に記載した物干し具機構を備えた空気調和機。
【請求項４】
前記支柱６は前記基部５に取り付けた筒状の下部支柱６ａと、この筒状の下部支柱６ａの上部に位置する上部支柱６ｂとによって構成すると共に、前記下部支柱６ａは内部に上部支柱６ｂを収納する空間を備えて伸縮自在の支柱６を形成し、かつ、下部支柱６ａと上部支柱６ｂとの間には上部支柱６ｂを伸長位置で固定する固定手段８を設けたことを特徴とする請求項１から請求項３のいずれか１項に記載した物干し具機構を備えた空気調和機。
【請求項５】
前記基部５と前記支柱６との間には基部５を中心に回転する回転腕部９を配置し、前記支柱６は基部５から側方に伸ばされた回転腕部９の可動端９ａの上部に取り付け、支柱６とハンガー部７とが基部５を中心に回転する請求項１から請求項４のいずれか１項に記載した物干し具機構を備えた空気調和機。
【請求項６】
前記支柱６には回転軸６ｃを形成すると共に、前記ハンガー部７の折畳み腕７ａは平板状部材によって構成し、この平板状部材の折畳み腕７ａには所定の角度を設けた風受部７ｂを形成し、空気調和機Ａの風でハンガー部７が回転することを特徴とする請求項１から請求項５のいずれか１項に記載した物干し具機構を備えた空気調和機。
【発明の詳細な説明】
【技術分野】
【０００１】
この発明は、冷凍サイクルを利用して空気調和を行う空気調和機において、洗濯物の乾燥に適した機能を備えた構造に関する。
【背景技術】
【０００２】
冷風機や除湿機と呼ばれる空気調和機は、枠体内に冷媒を圧縮する圧縮機と、圧縮された高温のガス状冷媒が送られるコンデンサと、コンデンサで液化した冷媒が減圧器を介して送られるエバポレータとを備え、エバポレータで気化した冷媒が圧縮機に戻される冷凍サイクルを構成している。
【０００３】
前記コンデンサとエバポレータには送風ファンを備えて送風されており、冷媒が圧縮機で加圧されると高温高圧になり、この冷媒はコンデンサを通過する空気流と熱交換して液化する。そして、この液化した高圧の冷媒は減圧器を経て圧力を下げてエバポレータに送られ、エバポレータを通過する空気を冷却することで冷媒はエバポレータで気化し、この気化した冷媒は再び圧縮機で加圧されてコンデンサに送られる。
【０００４】
そして、このような空気調和機には、エバポレータを通過して除湿した冷風を室内に吹出す冷風機や、エバポレータで得た冷風をコンデンサを通過させてから室内に戻す除湿機や、冷風運転と除湿運転の切換機能を備えた兼用タイプの冷風除湿機などが知られている（特許文献１参照）。
【特許文献１】特開２００５−２１４５３７号公報
【発明の開示】
【発明が解決しようとする課題】
【０００５】
近年、一人暮らしや共働きなどで昼間に在宅者がいない家庭が増えており、このような家庭では、室内に洗濯物を干すケースが増えている。洗濯物を部屋干しする場合は、室内の天井付近に設置した物干し竿や物干し用のロープなどに洗濯物を吊下げる方法や、床置きタイプの自立式の物干し具などに洗濯物を吊下げる方法が一般的である。しかしながら、部屋干しすると洗濯物の乾燥時間が長くなり、洗濯物の乾燥中にバクテリアや微生物が発生して、部屋干し臭といわれている臭いのもとになっていた。
【０００６】
このようなことから、除湿された乾燥空気を吹出す空気調和機が注目され、空気調和機が室内の冷房・除湿の他に、洗濯物の乾燥にも利用されるようになり、洗濯物の乾燥機能を高めた空気調和機の要求があるが、空気調和機の機能向上だけでは十分な乾燥性能を得ることができず、空気調和機と洗濯物との位置関係が重要であることがわかってきた。
【０００７】
洗濯物の乾燥を効率良く行うためには空気調和機の風を直接洗濯物にあてる必要があるが、従来からある空気調和機と物干し具は併用することを考慮して設計されておらず、特に自立式の物干し具は洗濯物の吊下げ部が上部にあり、洗濯直後の水分を含んで重くなった洗濯物を干して上部が重くなったときでも安定させるように脚部分の形状が大きくなっているため、空気調和機の風を直接洗濯物にあてることができる位置に設置できないものであり、確実に洗濯物の乾燥ができる構造がのぞまれている。
【課題を解決するための手段】
【０００８】
この発明は上記の課題を解決するもので、空気調和機Ａの枠体１内には、冷媒を圧縮する圧縮機２と、高温のガス状冷媒が送られるコンデンサ３と、液化した冷媒が減圧器を介して送られるエバポレータ４と、コンデンサ３及びエバポレータ４のそれぞれに送風する温風ファン３ａ・冷風ファン４ａと、コンデンサ３の温風ファン３ａに接続する温風吹出口３ｂと、エバポレータ４の冷風ファン４ａに接続する冷風吹出口４ｂとを設け、前記エバポレータ４で気化した冷媒が圧縮機２に戻される冷凍サイクルを構成する一体型の空気調和機において、前記空気調和機Ａには前記枠体１の側面に固定手段５ａを介して取り付けた基部５と、該基部５から下方に伸びる支持脚５ｂと、基部５から立ち上げて空気調和機Ａの枠体１より背を高くした支柱６と、該支柱６の上部に配置した放射状の折畳み腕７ａからなるハンガー部７とによって構成する物干し具機構Ｂを備え、該物干し具機構Ｂは前記空気調和機Ａと支持脚５ｂとによって支持されると共に、ハンガー部７が前記温風吹出口３ｂもしくは前記冷風吹出口４ｂのいずれかの延長上に位置するように設けたことを特徴とする物干し具機構を備えた空気調和機である。
【０００９】
また、前記固定手段５ａは空気調和機Ａの枠体１との間に第１係止部５ｃを設けると共に、前記物干し具機構Ｂの基部５との間に第２係止部５ｄを設け、前記物干し具機構Ｂは基部５と固定手段５ａとの間もしくは枠体１と固定手段５ａとの間で着脱可能となっており、空気調和機の単独運転と物干し具機構Ｂの交換が可能となっているから、物干し具機構Ｂを使わないときは枠体１から取外して空気調和機Ａだけ使用することができる。
【００１０】
また、物干し具機構Ｂの基部５には着脱自在の補助脚５ｅを設け、前記枠体１から取外した物干し具機構Ｂは支持脚５ｂと補助脚５ｅとによって自立可能となるから、物干し具機構Ｂは枠体１から取外して単独で使用することができる。
【００１１】
また、支柱６は前記基部５に取り付けた筒状の下部支柱６ａと、この筒状の下部支柱６ａの上部に位置する上部支柱６ｂとによって構成すると共に、前記下部支柱６ａは内部に上部支柱６ｂを収納する空間を備えて伸縮自在の支柱６を形成し、かつ、下部支柱６ａと上部支柱６ｂとの間には上部支柱６ｂを伸長位置で固定する固定手段８を設けたから、ハンガー部７に吊下げた洗濯物と温風吹出口３ｂ・冷風吹出口４ｂとの距離を最適位置に調整することができる。
【００１２】
また、基部５と前記支柱６との間には基部５を中心に回転する回転腕部９を配置し、前記支柱６は基部５から側方に伸ばされた回転腕部９の可動端９ａの上部に取り付け、支柱６とハンガー部７とが基部５を中心に回転するから、ハンガー部７に吊下げた洗濯物の位置を調整することができる。
【００１３】
また、支柱６には回転軸６ｃを形成すると共に、前記ハンガー部７の折畳み腕７ａは平板状部材によって構成し、この平板状部材の折畳み腕７ａには所定の角度を設けた風受部７ｂを形成し、空気調和機Ａの風でハンガー部７が回転するから、ハンガー部７に吊下げた全ての洗濯物に均等に風を当てることができる。
【発明の効果】
【００１４】
この発明は、物干し具機構Ｂの基部５を空気調和機Ａの枠体１の側面に取り付け、この基部５には下方に伸びる支持脚５ｂと、基部５から立ち上げた支柱６とを備え、支柱６の上部にはハンガー部７を備えている。そして、このハンガー部７が空気調和機Ａの温風吹出口３ｂもしくは冷風吹出口４ｂのいずれかの延長線上に位置するように設けたものであり、空気調和機Ａの風を直接ハンガー部７に吊下げた洗濯物に当てることができるから、効率良く洗濯物の乾燥ができるものとなった。
【００１５】
また、物干し具機構Ｂを空気調和機Ａの枠体１に取り付けることで、物干し具機構Ｂは重量のある空気調和機Ａと支持脚５ｂとによって支持されるから、支柱６の上部に設けたハンガー部７に洗濯直後の水分を含んだ洗濯物を吊下げても物干し具機構Ｂは安定するものである。
【００１６】
また、固定手段５ａは空気調和機Ａの枠体１との間に第１係止部５ｃを設け、物干し具機構Ｂの基部５との間に第２係止部５ｄを設け、物干し具機構Ｂは空気調和機Ａの枠体１に着脱可能に設けたから、物干し具機構Ｂを取外して空気調和機Ａを単体で使用できるものである。そして、物干し具機構Ｂを基部５と固定手段５ａとの間で取外したときは、枠体１に取り付けられた固定手段５ａを使って他の物干し具機構Ｂを取り付けることができ、目的に応じて空気調和機Ａと物干し具機構Ｂの組み合わせが変更できる。
【００１７】
また、物干し具機構Ｂの基部５には補助脚５ｅを着脱可能に設け、物干し具機構Ｂを空気調和機Ａから取外したときは、この補助脚５ｅを取り付ければ自立可能となるから、空気調和機Ａと物干し具機構Ｂとはそれぞれ単独で使用することができる。
【００１８】
また、支柱６は下部支柱６ａと上部支柱６ｂとで構成して伸縮自在の支柱６を形成し、下部支柱６ａと上部支柱６ｂとの間には上部支柱６ｂを伸長位置で固定する固定手段８を設けたから、ハンガー部７に吊下げた洗濯物の種類によってと温風吹出口３ｂ・冷風吹出口４ｂとの距離を最適位置に調整することができ、効率良く洗濯物の乾燥ができるものである。
【００１９】
また、物干し具機構Ｂには基部５を中心に回転する回転腕部９を配置し、支柱６は基部５から側方に伸ばされた回転腕部９の可動端９ａの上部に取り付け、回転腕部９によって支柱６とハンガー部７とが基部５を中心に回転するから、空気調和機Ａの付近に壁や障害物があって空気調和機Ａが移動できないときでも、回転腕部９を回転させることによって洗濯物と壁や障害物との接触を回避できるものである。
【００２０】
また、物干し具機構Ｂの支柱６に回転軸６ｃを形成し、洗濯物に空気調和機Ａの風を当てるとハンガー部７が回転するので、空気調和機Ａの風をハンガー部７に吊下げた全ての洗濯物に均等にあてることができ、効率良く洗濯物の乾燥ができるようになった。
【００２１】
また、ハンガー部７に吊下げた洗濯物が少ないときや、逆に洗濯物が多いときには、空気調和機Ａの風を洗濯物にあてるだけでは回転できないことがあるが、この発明のハンガー部７の折畳み腕７ａは平板状部材に所定の角度を設けた風受部７ｂを形成したものであり、空気調和機Ａの風を受ける風受部７ｂがハンガー部７の回転を補助する働きがあるから、ハンガー部７が確実に回転できるものとなった。
【実施例】
【００２２】
図に示す実施例によってこの発明を説明すると、Ａは空気調和機、１は空気調和機Ａを構成する枠体、２は枠体１内に収納された冷媒圧縮用の圧縮機、３は圧縮機２で圧縮された高温高圧のガス状冷媒が送られるコンデンサ、４は図示しない減圧器で減圧された冷媒が送られるエバポレータであり、冷媒はエバポレータ４に送られて気化し、冷媒の気化熱によって周囲を冷却する。その後エバポレータ４で気化した冷媒ガスは圧縮機２に戻され、再び圧縮機２で加圧された冷媒がコンデンサ３に送られて循環している。
【００２３】
３ａは室内空気を吸引してコンデンサ３を通過させる温風ファン、３ｂは枠体１の上面に配置した温風ファン３ａの出口と接続する温風吹出口、４ａは室内空気を吸引してエバポレータ４を通過させる冷風ファン、４ｂは枠体１の前面に配置した冷風ファン４ａの出口と接続する冷風吹出口であり、温風ファン３ａと冷風ファン４ａが駆動すると、温風ファン３ａの風が温風吹出口３ｂから吹出し、冷風ファン４ａの風が冷風吹出口４ｂから吹出すものである。
【００２４】
圧縮機２で加圧されて高温高圧となったガス状冷媒はコンデンサ３を通過するときに温風ファン３ａによって送られる室内空気によって冷却されて液化し、コンデンサ３を通過して高温となった空気は温風吹出口３ｂから室内に吹出す。また、液化した冷媒がエバポレータ４に送られると、液体の冷媒がエバポレータ４を通過するときに気化するものであり、冷風ファン４ａによって送られる室内空気は気化熱によって冷却され、冷風となって冷風吹出口４ｂから吹出すものである。
【００２５】
１０はエバポレータ４の下方に設けたドレンパン、１０ａはドレンパン１０の下部に設けたドレンパイプ、１１は枠体１内の下部に設けたドレンタンクであり、冷風ファン４ａによってエバポレータ４に送られる室内空気は、エバポレータ４を通過するときに空気中に含まれる水分がエバポレータ４の表面に結露してドレン水となり、エバポレータ４の表面に結露したドレン水はドレンパン１０に滴下し、ドレンパイプ１０ａに誘導されてドレンタンク１１に溜められる。
【００２６】
図に示す実施例は冷風運転と除湿運転の切換機能を備えた冷風除湿機とよばれる兼用タイプの空気調和機であり、１２は冷風吹出口４ｂに可動可能に取り付けたルーバを兼ねる吹出口カバー、１３は冷風ファン４ａの出口とコンデンサ３の吸込み側とを連絡するバイパス路、１４はバイパス路１３を開閉する切換弁であり、冷風運転を選択すると吹出口カバー１２が冷風吹出口４ｂを開口し、切換弁１４がバイパス路１３を閉止するので、エバポレータ４を通過した冷風は冷風吹出口４ｂから吹出す。一方、除湿運転を選択すると吹出口カバー１２が冷風吹出口４ｂを閉止し、切換弁１４がバイパス路１３を開口するので、エバポレータ４を通過した冷風はバイパス路１３を通ってコンデンサ３に送られ、コンデンサ３を通過して温風吹出口３ｂから吹出すものであり、冷風機としても、除湿機としても使用できるようになっている。なお、この空気調和機Ａは単機能の冷風機や除湿機であっても良い。
【００２７】
近年、一人暮らしや共働き等によって昼間に在宅者が不在となる家庭が増加しており、このような家庭においては洗濯物を室内に干すことが多くなっているが、洗濯物を室内に干すと洗濯物の乾燥時間が長くなって臭いや雑菌を発生させる問題があるため、洗濯物を短時間で乾燥させる必要がある。
【００２８】
このため、空気調和機を洗濯物の乾燥手段として利用するユーザーが増えており、空気調和機は除湿された乾燥空気を吹出すものであるから、この空気調和機から吹出す乾燥空気を洗濯物にあてることで、洗濯物の乾燥時間が短縮できるものであるが、空気調和機の風を効率よく洗濯物にあてることができる製品の開発がのぞまれている。
【００２９】
図１に示す実施例において、Ｂは空気調和機Ａに備える物干し具機構、５は物干し具機構Ｂの基部、５ａは物干し具機構Ｂを枠体１に取り付けるための基部５に設けた固定手段、５ｃは固定手段５ａに設けたＬ字状の係止片で構成する第１係止部、１ａは空気調和機Ａの枠体１の側壁に設けた係止孔であり、物干し具機構Ｂは基部５に設けた固定手段５ａによって空気調和機Ａの枠体１の側壁に取付けられ、第１係止片５ｃのＬ字状の係止片が枠体１の側壁の係止孔１ａに係止して物干し具機構Ｂが空気調和機Ａに固定されている。５ｂは基部５から下方に伸びる支持脚であり、基部５から下方に伸びる支持脚５ｂは床面に設置しており、物干し具機構Ｂは空気調和機Ａと支持脚５ｂとによって支持されている。
【００３０】
６は基部５から立ち上げて空気調和機Ａの枠体１より背を高くした支柱、７は支柱６の上部に取付けたハンガー部、７ａは支柱６の上部に放射状に取付けられたハンガー部７を構成する複数本の折畳み腕であり、この折畳み腕７ａの支柱６への取り付け部には支軸が形成されており、この折畳み腕７ａは不使用時には折畳まれており、使用時に広げて洗濯物を吊下げることができるようになっている。
【００３１】
図１の空気調和機Ａは枠体１の温風吹出口３ｂから除湿された空気が吹出すものであるから、物干し具機構Ｂのハンガー部７を温風吹出口３ｂの上方の温風吹出口３ｂの延長上に位置するように設けている。なお、除湿空気が冷風吹出口４ｂから吹出す構成のときは冷風吹出口４ｂの延長上に位置するように設ける。
【００３２】
自立式の物干し具機構の場合は、ハンガー部に吊下げる洗濯物によって上部が重くなるため、支持脚の形状を大きくしなければならなかった。このため、支持脚が邪魔になって空気調和機のすぐ近くに設置することができず、空気調和機の風を洗濯物にうまくあてることができなかったが、この発明の物干し具機構Ｂは空気調和機Ａの枠体１に固定されているので、洗濯物をハンガー部７の折畳み腕７ａに吊下げれば、温風吹出口３ｂから吹出す風は洗濯物に向かって吹出すので、除湿後の乾燥した空気を確実に洗濯物にあてることができ、洗濯物を効率よく乾燥することができ、乾燥時間が大幅に短縮できるものとなった。
【００３３】
また、物干し具機構Ｂは空気調和機Ａに固定されており、物干し具機構Ｂは重量のある空気調和機Ａと支持脚５ｂとによって支持されているから安定性が良くなっており、洗濯直後の水分を含んで重くなっている洗濯物をハンガー部７に吊下げても物干し具機構Ｂが転倒する心配はなく、非常に取扱いやすいものとなった。
【００３４】
また、物干し具機構Ｂは固定手段５ａによって着脱可能に取付けられているから、物干し具機構Ｂを使用しないときには空気調和機Ａの枠体１から取外すことができ、空気調和機Ａのみ使用できるようになっている。
【００３５】
５ｄは物干し具機構Ｂの基部５と固定手段５ａとの間に設けた第２係止部であり、基部５は第２係止部５ｄによって固定手段５ａに着脱可能に取付けられている。図２に示すように固定手段５ａは断面Ｃ字状に構成し、この固定手段５ａの内径寸法を円柱状の基部５の外径寸法と一致させており、円柱状の基部５が固定手段５ｂに嵌合することによって第２係止部５ｄを構成しており、物干し具機構Ｂの空気調和機Ａの枠体１への着脱が簡単にできるようになっている。
【００３６】
このように基部５と固定手段５ａとの間に第２係止部５ｄを設けたときは、固定手段５ａを枠体１に残したまま物干し具機構Ｂが着脱可能となるから、図３のように固定手段５ａと枠体１との間の第１係止部５ｃを粘着テープなどで構成して、固定手段５ａを枠体１の壁面に貼り付けによって取り付けるとよく、枠体１の側壁に専用の係止孔１ａがない空気調和機Ａでも物干し具機構Ｂを取り付けることができ、不使用時には空気調和機Ａから取外すことができる。
【００３７】
また、空気調和機Ａの枠体１に残された固定手段５ａに、別の物干し具機構Ｂを取り付けることができるから、洗濯物の種類に応じて物干し具機構Ｂを交換することができる。
【００３８】
図４に示す実施例において、５ｅは物干し具機構Ｂの基部５に着脱自在に設けた補助脚であり、空気調和機Ａから物干し具機構Ｂを取外したときは、物干し具機構Ｂの基部５に補助脚５ｅを取り付けることで、物干し具機構Ｂは支持脚５ｂと補助脚５ｅによって自立可能となるので、物干し具機構Ｂのみ使用することができるものであり、空気調和機Ａを使用しないときでも物干し具機構Ｂが有効に活用できる。
【００３９】
６ａは基部５に取り付けられた円筒で構成された下部支柱、６ｄは下部支柱６ａの上部に設けられた開口、６ｂは下部支柱６ａの上部の開口６ｄに取り付けられた伸縮可能な上部支柱であり、円筒状の下部支柱６ａの内部には上部支柱６ｂが収納できる空間が形成されている。８は下部支柱６ａの開口６ｄと上部支柱６ｂとの間に設けた固定手段であり、上部支柱６ｂを下部支柱６ａから引き出して任意の伸長位置で固定できるようになっている。
【００４０】
ハンガー部７は上部支柱６ｂの上部に取り付けられており、このハンガー部７に吊下げる洗濯物のサイズに合わせて上部支柱６ｂを伸縮させることで、温風吹出口３ｂと洗濯物との距離が最適位置となるように調整することができるものであり、洗濯物が小さなものであれば上部支柱６ｂを短くして洗濯物を温風吹出口３ｂに近づけることができ、洗濯物が大きなものであれば上部支柱６ｂを伸ばして洗濯物が温風吹出口３ｂを塞がないように調整できるから、洗濯物のサイズに関係なく効率良く乾燥ができるものである。また、物干し具機構Ｂを使用しないときには、上部支柱６ｂを下部支柱６ａに収納しておけば、背を低くしておくことができる。
【００４１】
９は基部５の上部に回動可能に取り付けられた回転腕部、９ａは基部５から側方に伸ばされた回転腕部９の可動端であり、この回転腕部９の可動端９ａの上部に支柱６が取付けられており、支柱６は回転腕部９の回転半径内で基部５を中心に回転させることができるようになっている。
【００４２】
空気調和機Ａを洗濯物の乾燥に利用するときは、洗面所や浴室の脱衣所などで使用することが多いが、このような場所は狭い空間に洗面台や洗濯機などが設置されているため空気調和機Ａが設置できる範囲が制限され、物干し具機構Ｂのハンガー部７やハンガー部７に吊下げた洗濯物が部屋の壁面や洗面台や洗濯機にあたってしまうときでも、空気調和機Ａの位置を変更できないことがあるが、このときは物干し具機構Ｂの回転腕部９を回転させて支柱６の位置を変更することで、洗面台や洗濯機等の障害物を避けて物干し具機構Ｂが設置できるので、狭い場所でも空気調和機Ａが使用できるものとなった。
【００４３】
また、回転腕部９を回転してハンガー部７に吊下げた洗濯物の位置を調整することで、空気調和機Ａから吹出す風を乾燥させたい洗濯物に効率良くあてることができるから、洗濯物が短時間で乾燥できるものとなった。
【００４４】
６ｃは支柱６とハンガー部７との間に設けた回転軸であり、回転軸６ｃはベアリング軸受を備えており、支柱６の上部のハンガー部７が回転できるようになっており、ハンガー部７に洗濯物を吊下げて空気調和機Ａを運転を開始し、温風吹出口３ｂから吹出す風が洗濯物にあたると、この風を受けてハンガー部７が回転軸６ｃを中心に回転し、ハンガー部７に吊下げた洗濯物が回転するので、温風吹出口３ｂから吹出す風をハンガー部７に吊下げた洗濯物全てに均等に風をあてることができ、洗濯物の乾燥が短時間で効率良くできるものとなった。
【００４５】
実施例の物干し具機構Ｂは支柱６の上部の一箇所のみにハンガー部７を備えたものであるが、物干し具機構Ｂには支柱６の上部と中間部の２箇所にハンガー部７を備えたものもあるから、回転軸６ｃは支柱６の下部と回転腕部９との間に設けて、支柱６とハンガー部７とが一緒に回転する構成にしてもよい。
【００４６】
しかしながら、ハンガー部７に吊下げる洗濯物の数が少ないときや、逆に洗濯物の数が多く重量があるときは、洗濯物に風をあてるだけでは回転力が不足し、ハンガー部７がスムーズに回転しないことがある。
【００４７】
７ｂは折畳み腕７ａの上部から所定の角度で斜め上方に伸ばした平板状部材で構成する風受部であり、この風受部７ｂで温風吹出口３ｂから吹出す風を受けることでハンガー部７に回転力を与えることができ、ハンガー部７は洗濯物がなくても回転できるようになっている。このため、ハンガー部７に吊下げる洗濯物の数が少ないときや、逆に洗濯物の数が多く重量があるときでも、風受部７ｂの働きによってハンガー部７の回転力を得ることができ、ハンガー部７はスムーズに回転することができるものである。
【図面の簡単な説明】
【００４８】
【図１】この発明の実施例を示す物干し具機構を備えた空気調和機の断面図である。
【図２】この発明の実施例を示す物干し具機構を備えた空気調和機の平面図である。
【図３】この発明の他の実施例を示す物干し具機構を備えた空気調和機の断面図である。
【図４】この発明の実施例を示す空気調和機から取外した物干し具機構の斜視図である。
【符号の説明】
【００４９】
Ａ    空気調和機
Ｂ    物干し具機構
１    枠体
２    圧縮機
３    コンデンサ
３ａ  温風ファン
３ｂ  温風吹出口
４    エバポレータ
４ａ  冷風ファン
４ｂ  冷風吹出口
５    基部
５ａ  固定手段
５ｂ  支持脚
５ｃ  第１係止部
５ｄ  第２係止部
５ｅ  補助脚
６    支柱
６ａ  下部支柱
６ｂ  上部支柱
６ｃ  回転軸
７    ハンガー部
７ａ  折畳み腕
７ｂ  風受部
８    固定手段
９    回転腕部
９ａ  可動端
【図１】
0004826236.tif 000002
【図２】
0004826236.tif 000003
【図３】
0004826236.tif 000004
【図４】
0004826236.tif 000005